(57)【特許請求の範囲】
【請求項１】
下部筐体と上部カバーとが突き合わせ結合されて構成される装置本体と、
記録媒体を上記装置本体の内外に亘って搬送する搬送機構と、
上記記録媒体に対して、情報信号の記録及び／又は再生を行う記録再生機構が設けられたベースユニットと、
ベースユニットを、上記記録再生機構が上記記録媒体に対して記録及び／又は再生を行う記録再生位置と、上記記録媒体の搬送領域から退避させる待機位置とに亘って昇降させる昇降機構と、
上記装置本体と上記ベースユニットとの緩衝を図る緩衝機構とを備え、
上記緩衝機構は、上記下部筐体に形成され、上記ベースユニットの端部に設けられた連結部に挿通され、上記ベースユニットの昇降を支持する支持凸部と、上記上部カバーに形成され、上記支持凸部と当接する上記支持凸部より径の大きい当接凸部と、上記当接凸部の上面に上記支持凸部より大径に形成され記支持凸部が対峙する凹面部とを備え、
上記当接凸部は、上記連結部に嵌合され、上面が上記支持凸部に挿通されているインシュレータと当接され、
上記緩衝機構は、上記上部カバー及び上記下部筐体の上下方向の結合位置を固定する固定部近傍に設けられているドライブ装置。
【請求項２】
上記固定部は、上記上部カバー及び上記下部筐体の一方の側壁に設けられた係止凸部と、他方の側壁に設けられ、上記係止凸部に係止されるフック部とからなる請求項１記載のドライブ装置。
【請求項３】
上記装置本体は、一方の端部において上記上部カバーと下部筐体とがスナップフィット締結され、他方の端部に上記固定部が設けられている請求項１又は請求項２に記載のドライブ装置。
【請求項４】
上記装置本体は、上記固定部によって、上記上部カバー及び上記下部筐体の上記他方の端部側での結合を行う請求項３記載のドライブ装置。
【請求項５】
上記搬送機構は、ディスク状の上記記録媒体が載置されるディスクトレイと、上記ディスクトレイを上記装置本体の内外に亘って搬送する搬送機構とを備え、
上記ディスクトレイには、上記装置本体の背面側に位置する端部に、この端部に対応した位置にある上記当接凸部との干渉を回避する切欠き部が形成されている請求項１記載のドライブ装置。
【発明の詳細な説明】
【技術分野】
【０００１】
本発明は、記録媒体のドライブ装置に関し、特に装置本体内に、記録媒体に対して記録及び／又は再生を行う記録再生機構を支持するベースユニットが昇降自在に配設されたドライブ装置に関する。
【背景技術】
【０００２】
従来から、光ディスクに対して情報信号の書き込み及び／又は読み出しを行うディスクドライブ装置では、光ディスクが載置されるディスクトレイが装置本体の内外に亘って搬送されるいわゆるトレイタイプのものと、光ディスクが直接装置本体の内外に亘って挿入及び排出されるいわゆるスロットインタイプのものが提供されている。
【０００３】
図１６に示すように、この種のディスクドライブ装置は、下部筐体１０１と上部カバー１０２とが結合されて構成される略矩形箱状の装置本体１００を有する。装置本体１００内には、光ディスクに対して情報信号の記録及び／又は再生を行う光ピックアップ機構１０３が設けられたベースユニット１０４と、ベースユニット１０４を、光ピックアップ機構１０３によって光ディスクに対して情報信号の記録再生を行う記録再生位置と、光ディスクの搬送領域から退避させる待機位置とに亘って昇降させる昇降機構１０５とが配設されている（特許文献１参照）。
【０００４】
ベースユニット１０４は、略矩形状に形成され、長手方向の一端１０４ａ側に光ディスクを回転自在に支持するディスク回転機構１０６と、昇降機構１０５によって昇降操作される昇降支持フレーム１０７とが設けられている。またベースユニット１０４は、長手方向の他端１０４ｂ側に、下部筐体１０１に連結され、昇降支点となる連結片１０９が設けられている。
【０００５】
図１７に示すように、連結片１０９は、インシュレータ１１０が取り付けられるとともに、下部筐体１０１より突設されている支持凸部１１１に挿通される挿通孔１１２が形成されている。挿通孔１１２は、一部が開放され、開放端より、弾性樹脂を成型した円筒状のインシュレータ１１０が装着されている。そして、ベースユニット１０４は、挿通孔１１２にインシュレータ１１０が装着された後、下部筐体１０１に突出された支持凸部１１１がインシュレータ１１０内を挿通する。
【０００６】
支持凸部１１１は、上面から突出方向に亘るビス孔１１１ａが設けられた中空円筒状に形成されている。そして、支持凸部１１１は、ベースユニット１０４の連結片１０９に設けられた連結孔１１２に挿通した後、上面に臨まされたビス孔１１１ａにビス１１３が挿通されることにより、ベースユニット１０４を支持する。
【０００７】
ベースユニット１０４は、昇降機構１０５によって一端１０４ａ側が昇降されると、支持凸部１１１を支点に回動され、光ピックアップ機構１０３が記録再生位置と待機位置とに亘って昇降される。
【先行技術文献】
【特許文献】
【０００８】
【特許文献１】特開２００８−１７６８８３号公報
【発明の概要】
【発明が解決しようとする課題】
【０００９】
しかし、上述した構成では、ベースユニットを下部筐体に取り付けるために、下部筐体より突設されている支持凸部にベースユニットの連結孔を挿通したのち、ビスを挿通している。したがって、ベースユニットを下部筐体に取り付けるために、ビスを要するとともに、ビス止めを行う作業も増え、部品点数の増加を招くほか組み立て作業も煩雑になる。
【００１０】
また、装置本体１００は、振動や衝撃が加わった場合に、ベースユニット１０４の荷重が連結片１０９及びインシュレータ１１０を介して支持凸部１１１及びビス１１３にかかる。ビス１１３は、適切にビス止めされている場合はベースユニット１０４の荷重に耐えられる十分な強度を持っているが、斜めに打ち込まれたり、打ち込みが不足する、あるいは打ち込みの力が過剰となりビス孔１１１ａが損傷する等、ビス止め作業が適切に行われなかった場合、例えば輸送中に誤って落下すると、落下衝撃によってビス孔１１１ａから外れる危険もある。
【００１１】
そこで、本発明は、ビスを用いることなく、下部筐体にベースユニットを強固に支持するドライブ装置を提供することを目的とする。
【課題を解決するための手段】
【００１２】
上述した課題を解決するために、本発明にかかるドライブ装置は、下部筐体と上部カバーとが突き合わせ結合されて構成される装置本体と、記録媒体を上記装置本体の内外に亘って搬送する搬送機構と、上記記録媒体に対して、情報信号の記録及び／又は再生を行う記録再生機構が設けられたベースユニットと、ベースユニットを、上記記録再生機構が上記記録媒体に対して記録及び／又は再生を行う記録再生位置と、上記記録媒体の搬送領域から退避させる待機位置とに亘って昇降させる昇降機構と、上記装置本体と上記ベースユニットとの緩衝を図る緩衝機構とを備える。上記緩衝機構は、上記下部筐体に形成され、上記ベースユニットの端部に設けられた連結部に挿通され、上記ベースユニットの昇降を支持する支持凸部と、上記上部カバーに形成され、上記支持凸部と当接する上記支持凸部より径の大きい当接凸部と、上記当接凸部の上面に上記支持凸部より大径に形成され記支持凸部が対峙する凹面部とを備える。上記当接凸部は、上記連結部に嵌合され、上面が上記支持凸部に挿通されているインシュレータと当接される。上記緩衝機構は、上記上部カバー及び上記下部筐体の上下方向の結合位置を固定する固定部近傍に設けられているものである。
【発明の効果】
【００１３】
本発明の緩衝機構によれば、ベースユニットを支持する支持凸部と、上部カバーに設けられた当接凸部とが当接されることにより、ベースユニットに加わる衝撃が支持凸部に集中することがない。したがって、本発明は、ビスを用いることなく、ベースユニットを支持凸部及び当接凸部によって強固に支持することができる。また、本発明の緩衝機構は、下部筐体と上部カバーとの上下方向の結合位置を固定する固定部近傍に設けられているため、支持凸部に対する当接凸部の高さが高精度に出せる。したがって、本発明は、支持凸部と当接凸部とを確実に当接させ、ベースユニットを支持凸部及び当接凸部によって強固に支持することができる。
【図面の簡単な説明】
【００１４】
【図１】ディスクドライブ装置が搭載された電子機器を示す斜視図である。
【図２】ディスクドライブ装置を示す外観斜視図である。
【図３】ディスクトレイが引き出されているディスクドライブ装置を示す外観斜視図である。
【図４】ディスクドライブ装置を示す分解斜視図である。
【図５】上部カバーの収納部を示す斜視図である。
【図６】上部カバーの裏面を示す斜視図である。
【図７】緩衝機構及び固定部を示す断面図である。
【図８】ディスクドライブ装置の内部を示す斜視図である。
【図９】チャッキングプレートの嵌合ピンが嵌合孔と対峙している状態を示す断面図である。
【図１０】ディスクテーブルとチャッキングプレートとが嵌合している状態を示す断面図である。
【図１１】チャッキングプレートを示す斜視図であり、（ａ）は上面側を示し、（ｂ）は下面側を示す。
【図１２】支持プレートを示す斜視図であり、（ａ）は上面側を示し、（ｂ）は下面側を示す。
【図１３】センタリング壁によってセンタリングピンをガイドしている状態を示す断面図である。
【図１４】他の実施の形態において、チャッキングプレートの嵌合ピンが嵌合孔と対峙している状態を示す断面図である。
【図１５】他の実施の形態において、ディスクテーブルとチャッキングプレートとが嵌合している状態を示す断面図である。
【図１６】従来のディスドライブ装置を示す分解斜視図である。
【図１７】従来のディスドライブ装置においてベースユニットを支持する下部筐体の支持構成を示す断面図である。
【発明を実施するための形態】
【００１５】
以下、本発明が適用されたディスクドライブ装置について、図面を参照しながら詳細に説明する。なお、説明は以下の順序で行う。
１．装置本体
２．搬送機構
３．ベースユニット
４．昇降機構
５．クランプ機構
【００１６】
＜１．装置本体＞
このディスクドライブ装置１は、略矩形状の装置本体２を有し、例えば、図１に示すように、光ディスクに対して情報信号の記録及び／又は再生を行う光ディスクレコーダ３の内部に配設される他、ゲーム機、デスクトップパソコン等の据置型の電子機器に用いられる。図２、図３及び図４に示すように、装置本体２は、下部筐体４と上部カバー５とが突き合わせ結合されることにより構成されている。装置本体２には、ディスクトレイ２３を備え光ディスク６を内外に亘って搬送する搬送機構７と、光ディスクに対して情報信号の記録及び／又は再生を行う光ピックアップ機構５０が設けられたベースユニット８と、ベースユニット８を、光ピックアップ機構５０が光ディスク６に対して記録及び／又は再生を行う記録再生位置と、光ディスク６の搬送領域から退避させる待機位置とに亘って昇降させる昇降機構９とを備える。
【００１７】
［下部筐体４］
装置本体２を構成する下部筐体４は、略矩形箱状をなし、前面側に形成された挿脱口１１よりディスクトレイ２３が長手方向に亘って挿脱自在に支持されている。下部筐体４は、左右両側壁４ａ，４ｂに沿って、底面より高くされ、ディスクトレイ２３の移動をガイドするガイドデッキ１２が設けられ、また前面側に、搬送機構７及び昇降機構９を支持する支持デッキ１３が設けられている。
【００１８】
ガイドデッキ１２は、ディスクトレイ２３の移動をガイドするガイド凸部１４が断続的に複数突設されている。そして、ガイドデッキ１２は、ガイド凸部１４がディスクトレイ２３の裏面に搬送方向に亘って形成された図示しないスライドガイド溝に挿通され、これにより、ディスクトレイ２３の移動をガイドすることができる。またガイドデッキ１２には、後述する昇降機構９の昇降支持フレーム７０を支持する左右一対の軸受凹部１５が形成されている。軸受凹部１５は、略鉤状の係合片が立設され、この係合片によって昇降支持フレーム７０に形成された回動軸部７２ａを回動自在に係合する。
【００１９】
下部筐体４の前面側に設けられた支持デッキ１３は、ディスクトレイ２３及び昇降カム７１に駆動力を供給する駆動モータ１７と、駆動モータ１７の駆動力をディスクトレイ２３及び昇降カム７１に伝達する駆動ギヤ１８と、駆動モータ１７の駆動力を駆動ギヤ１８へ伝達する一対のプーリ１９が配設されている。
【００２０】
なお、支持デッキ１３は、昇降カム７１をディスクトレイ２３の搬送方向と略直交する方向に移動自在に支持している。また、支持デッキ１３は、昇降カム７１のスライド位置を検出する検出スイッチの先端が昇降カムの移動経路上に臨まされ、昇降カム７１と当接可能とされている。
【００２１】
また、下部筐体４は、支持デッキ１３より背面側にベースユニット８を支持するベースユニット用デッキ２１が形成されている。ベースユニット用デッキ２１に支持されたベースユニット８は、後述する昇降支持フレーム７０に前面側を支持されると共に、この昇降支持フレーム７０が昇降カム７１によって昇降操作される。これにより、ベースユニット８は、上部カバー５側に上昇して光ディスク６とチャッキングする記録再生位置と、下部筐体４の底面側に下降して光ディスク６とのチャッキングが解除される待機位置とに亘って昇降される。
【００２２】
また、下部筐体４は、ベースユニット用デッキ２１に、後述する緩衝機構４０を構成する一対の支持凸部２２，２２が背面近傍で、かつ両側壁４ａ，４ｂ近傍に立設されている。また、下部筐体４は、背面壁４ｃに、上部カバー５との固定部３５を構成する係止凸部３６が形成されている。さらに、下部筐体４は、両側壁４ａ，４ｂの前面側に、上部カバー５とスナップフィット締結する一対の係合凸部２４，２４が形成されている。これら、支持凸部２２、係止凸部３６及び係合凸部２４については、上部カバー５とともに後述する。
【００２３】
［上部カバー５］
次いで、下部筐体４に突き合わされる上部カバー５について説明する。上部カバー５は、下部筐体４の開放された上面を塞ぐことで、装置本体２の上面を構成するものであり、下部筐体４と同じ形状を有する矩形板状をなす。
【００２４】
上部カバー５は、光ディスク６を回転自在にクランプするクランプ機構８０を構成するチャッキングプレート８１と、チャッキングプレート８１を上部カバー５に支持する支持プレート８２とが収納される収納部２５が形成されている。収納部２５は、図５に示すように、チャッキングプレート８１を下部筐体４側に臨ませる開口部２６と、開口部２６の周囲に形成され、チャッキングプレート８１を支持する支持面２７と、支持面２７より立ち上がり形成され、チャッキングプレート８１の揺動範囲を規制するガイド壁２８と、支持プレート８２を係止するプレート係止部２９とが形成されている。なお、クランプ機構８０については後に詳述する。
【００２５】
プレート係止部２９は、ガイド壁２８の更に外周側に形成された係止壁に外方へ張り出し形成されている。プレート係止部２９は、支持プレート８２の外周面に内側に張り出し形成されている係止凸条９２が下側に回り込むことにより、支持プレート８２が係止され、チャッキングプレート８１の収納部２５からの抜け止めが図られる。
【００２６】
また、図６に示すように、上部カバー５は、前面側の両側面に、下部筐体４に形成された係合凸部２４に係止される係止片３０が係止されている。係止片３０は、上部カバー５の両側面より下方に垂下され、先端部に下部筐体４に形成された係合凸部２４に係止する係止孔３０ａが開口されている。また、係止片３０は、基端側が若干の可撓性を有し、上部カバー５が背面側を下部筐体４の背面側に当接させ、当該背面側を支点に前面側を傾倒させることにより、撓みながら係止孔３０ａが係合凸部２４に嵌合する。これにより上部カバー５は、下部筐体４に締結される。
【００２７】
また、上部カバー５は、下部筐体４側に臨む裏面５ａに緩衝機構４０を構成する当接凸部３２が突設されている。当接凸部３２は、上部カバー５の背面近傍で、かつ両側面近傍に下部筐体４に設けられた支持凸部２２に対応して一対形成され、上部カバー５が下部筐体４に締結されると、支持凸部２２に当接する。
【００２８】
［固定部３５］
また、上部カバー５は、裏面５ａに、背面近傍に下部筐体４との固定部３５を構成するフック３７が形成されている。固定部３５は、図７に示すように、下部筐体４と上部カバー５との上下方向の結合位置を固定するものであり、下部筐体４に形成された係止凸部３６と、上部カバー５に形成されたフック３７とからなる。
【００２９】
係止凸部３６は、下部筐体４の背面壁４ｃに形成されている。この係止凸部３６は、矩形の枠状をなして、前面側へ突出することにより、フック３７が係止可能とされている。また、係止凸部３６は、下部筐体４の背面壁４ｃの両側に離間して設けられ、その近傍には、支持凸部２２が形成されている。
【００３０】
係止凸部３６に係止するフック３７は、上部カバー５の背面側に立設され、背面側に向かって凹状の鉤部が形成されている。また、フック３７は、係止凸部３６に応じて上部カバー５の両側に離間して設けられ、その近傍には当接凸部３２が形成されている。
【００３１】
かかる固定部３５は、上部カバー５の背面側を下部筐体４の背面側に当接させることにより、フック３７の鉤部が係止凸部３６に係止される。この状態で上部カバー５の前面側を下部筐体４の前面側に傾倒させることにより、上部カバー５に形成された係止片３０の係止孔３０ａが、下部筐体４の係合凸部２４にスナップフィットによって嵌合する。このとき、固定部３５は、フック３７の鉤部が係止凸部３６に係止することにより、下部筐体４と上部カバー５とを強固に固定するとともに、上部カバー５の下部筐体４に対する高さ方向の位置決めを図る。
【００３２】
［緩衝機構４０］
さらに、装置本体２は、上部カバー５が下部筐体４に結合されることにより、固定部３５の近傍に、装置本体２とベースユニット８との緩衝を図る緩衝機構４０が形成されている。緩衝機構４０は、装置本体２やベースユニット８に加わった衝撃がベースユニット８を支持する支持凸部２２に集中することから、この支持凸部２２に集中する負荷を低減するものである。
【００３３】
緩衝機構４０は、下部筐体４の背面側に形成された支持凸部２２と、上部カバー５の背面側に形成された当接凸部３２とからなる。支持凸部２２は、下部筐体４のベースユニット用デッキ２１の背面側に立設された略円柱形状の部材であり、図７に示すように、支持凸部２２は、後述するベースユニット８の背面側端部に形成された連結孔５６に、この連結孔５６に取り付けられているインシュレータ５７を介して挿通する。これにより、支持凸部２２は、インシュレータ５７を挟んでベースユニット８を支持することで、ベースユニット８が前面側を昇降機構９によって昇降される際の支点となる。
【００３４】
また、当接凸部３２は、上部カバー５を下部筐体４に結合させることで、支持凸部２２に対峙するものであり、支持凸部２２に応じて円柱状に形成されている。また、当接凸部３２は、支持凸部２２よりも径の大きい円柱形状を有し、図７に示すように、支持凸部２２に対峙すると、インシュレータ５７と当接する。また、当接凸部３２は、上面中央に支持凸部２２よりも大径の凹面部４１が形成されている。
【００３５】
緩衝機構４０は、上部カバー５を下部筐体４に結合させると、支持凸部２２が当接凸部３２の凹面部４１に対峙されるとともに、インシュレータ５７が当接凸部３２の上面に当接される。これにより、緩衝機構４０は、インシュレータ５７を介してベースユニット８を支持する支持凸部２２を確実に固定することができる。また、緩衝機構４０は、強い衝撃が加わった場合にも支持凸部２２と当接凸部３２とが当接することにより、支持凸部２２に衝撃による負荷が集中することなく、かつ、当接凸部３２に当接するインシュレータ５７によって緩衝を図ることができる。
【００３６】
ここで、緩衝機構４０は、固定部３５の近傍に形成されている。したがって、緩衝機構４０は、上部カバー５を下部筐体４に結合させた際の、当接凸部３２の支持凸部２２に対する高さ精度が高まる。すなわち、上述したように、固定部３５は、上部カバー５を下部筐体４に結合させる際の、上部カバー５の回動支点となり、上部カバー５の下部筐体４に対する高さ方向の基準ともなる。したがって、かかる固定部３５の近傍に形成される緩衝機構４０は、高さの基準位置の近傍に形成されることとなり、より高さの精度がでる。
【００３７】
これにより、緩衝機構４０は、支持凸部２２と当接凸部３２との間に隙間ができたり、あるいは上部カバー５が下部筐体４に結合する前に当接凸部３２が支持凸部２２に当接してしまうといった事態も起こらない。また、緩衝機構４０は、上部カバー５を下部筐体４に結合させると、当接凸部３２がインシュレータ５７に当接し、装置本体２の衝撃をインシュレータ５７を介して緩衝させることができる。さらに、緩衝機構４０は、強い衝撃が加わった場合にも支持凸部２２と当接凸部３２の凹面部４１とが当接することにより、支持凸部２２に衝撃による負荷が集中することもなく、また、固定部３５によって当接凸部３２が支持凸部２２から離間することもない。
【００３８】
これにより、緩衝機構４０は、固定部３５の近傍に形成することにより、従来のビス止めによってベースユニット８を支持する方法によるのと同等以上の強度を備え、ベースユニット８の緩衝を図ることができる。
【００３９】
一方、固定部３５は、図７に示すように、当接凸部３２がインシュレータ５７に押圧されることにより、フック３７が係止凸部３６の上面に押圧される。したがって、固定部３５は、上部カバー５をがたつかせることなく下部筐体４に結合させることができ、かつ当接凸部３２の高さ精度をだすことができる。
【００４０】
なお、固定部３５は、下部筐体４に係止凸部３６を設け、上部カバー５にフック３７を形成する他、反対に、下部筐体４にフック３７を設け、上部カバー５に係止凸部３６を形成するようにしてもよい。また、固定部３５は、上述した係止凸部３６にフック３７を係止させる方法以外にも、下部筐体４及び上部カバー５を貫通する貫通孔を設け、この貫通孔に固定ネジを螺着させるなど、任意の固定方法を採用することができる。
【００４１】
さらに、固定部３５は、図４及び図６に示すように、適宜、予備固定片４３及び予備フック４４を追加してもよい。予備固定片４３は、下部筐体４の背面壁４ｃの両側に設けられ、前面側に向かって張り出し形成されている。また、予備フック４４は、上部カバー５の背面側に、予備固定片４３に対応して形成されている。かかる予備固定片４３及び予備フック４４を設けることで、固定部３５は、下部筐体４と上部カバー５とを強固に結合させることができる。
【００４２】
また、装置本体２は、かかる固定部３５以外に、下部筐体４と上部カバー５との各背面側を結合するビス止めなどの手段を備えていてもよく、あるいは固定部３５によって下部筐体４と上部カバー５との背面側を結合してもよい。
【００４３】
なお、かかる固定部３５は、支持凸部２２及び当接凸部３２が形成された位置より、下部筐体４及び上部カバー５の背面側に向かって、多少左右に偏倚した位置に設けられている。これにより、下部筐体４及び上部カバー５は、支持凸部２２及び当接凸部３２が形成された位置よりさらに背面側に向かって支持凸部２２及び当接凸部３２を形成する領域を確保する必要がなく、装置本体２の長手方向の大型化を防止することができる。
【００４４】
したがって、ディスクドライブ装置１は、光ディスクプレーヤや光ディスクレコーダといったＴＶモニタの近傍に設置される電子機器において、当該電子機器の奥行きを縮小させることができる。これにより、ディスクドライブ装置１は、薄型化されたＴＶモニタに比して奥行きスペースを必要とする電子機器の奥行きサイズの小型化を図ることができる。
【００４５】
＜２．搬送機構＞
次いで、光ディスク６を装置本体２の内外に亘って搬送する搬送機構７について説明する。搬送機構７は、光ディスク６が載置されるディスクトレイ２３と、ディスクトレイ２３に駆動モータ１７の駆動力を伝達する駆動ギヤ１８とを備える。
【００４６】
ディスクトレイ２３は、図３に示すように、装置本体２の前面に設けられた挿脱口１１より内外に亘って搬送される。このディスクトレイ２３は、ＣＤやＤＶＤ、ＢＤ等の光ディスク６を横置きにして収容することができる円形の凹陥部からなるディスク収容部４６と、このディスク収容部４６の中央部からトレイセンタに沿って後方へ延在するように開口された長穴状の開口４７とが設けられている。ディスク収容部４６は、直径１２ｃｍの光ディスクが載置される大径部４６ａと、この大径部４６ａの中央部に形成された凹部からなり且つ直径８ｃｍの光ディスクが載置される小径部４６ｂとを有している。
【００４７】
また、ディスクトレイ２３の開口４７は、ディスク収容部４６の小径部４６ｂの中心部から背面側にかけて開口されていて、大径部４６ａの一部を切り欠いてディスク収容部４６の外側まで延在されている。この開口４７の大きさ及び形状は、ベースユニット８の光ピックアップ機構５０の上部が完全に入り込むことができる大きさ及び形状とされている。なお、ディスクトレイ２３の左右両側縁には、前後方向へ平行に延びる左右一対のガイドレール４８，４８が設けられている。
【００４８】
なお、ディスクトレイ２３の裏面には、支持デッキ１３に配設された駆動ギヤ１８と咬合されるトレイラック（図示せず）が、ディスクトレイ２３の搬送方向に延設されている。また、ディスクトレイ２３の裏面には、ディスクトレイ２３の搬送に応じて昇降カム７１を駆動ギヤ１８との咬合方向へ移動させ、あるいは昇降カム７１のスライドに応じてディスクトレイ２３を駆動ギヤ１８との咬合方向へ移動させるガイドカム溝（図示せず）が設けられている。
【００４９】
かかる搬送機構７は、トレイラックが駆動ギヤ１８と咬合することにより、駆動モータ１７の駆動力を受けてディスクトレイ２３が装置本体２の内外に亘って搬送される。また、搬送機構７は、ディスクトレイ２３が装置本体２内に搬送されると、ガイドカム溝によって、駆動ギヤ１８に対する咬合がトレイラックから昇降カム７１へと切り換えられ、搬送が停止される。また、搬送機構７は、ディスクトレイ２３が装置本体２外へ排出される際には、駆動ギヤ１８に対する咬合が昇降カム７１からトレイラックへと切り換えられ、駆動モータ１７の駆動力が伝達されて装置本体２外へ排出される。
【００５０】
なお、ディスクトレイ２３は、背面側の側縁に、当接凸部３２と、固定部３５の係止凸部３６及びフック３７とを回避する切欠き部４５が形成されている。図８に示すように、切欠き部４５を形成することにより、ディスクドライブ装置１は、ディスクトレイ２３を装置本体２の背面側まで引き込むことができ、ディスクトレイ２３の大きさと装置本体２の大きさを略同一とすることができる。したがって、ディスクドライブ装置１は、ディスクトレイ２３の搬送方向に対する装置本体２の奥行きを極力小型化することができる。
【００５１】
＜３．ベースユニット＞
次いで、光ディスク６に対して情報信号の記録及び／又は再生を行う光ピックアップ機構５０が搭載されたベースユニット８について説明する。図４に示すように、ベースユニット８は、略矩形状のフレーム体をなし、挿脱口１１及び背面壁４ｃが設けられた下部筐体４の長手方向を長手方向として、ベースユニット用デッキ２１に配設されている。このベースユニット８には、装置本体２の前面側となる長手方向の一端側に光ディスク６を回転自在に支持するディスク回転機構５１が形成されている。また、ベースユニット８には、長手方向の一端側から他端側に向かって光ピックアップ機構５０を移動させるピックアップ移動機構５３が形成されている。
【００５２】
また、ベースユニット８は、長手方向の一端側コーナ部に、昇降機構９の昇降支持フレーム７０に支持される一対の支持孔５５，５５が形成され、長手方向の他端側コーナ部に、上述した支持凸部２２に支持される連結孔５６，５６が形成されている。支持孔５５及び連結孔５６は、いずれも、一部が開放され、開放端より、弾性樹脂を成型した円筒状のインシュレータ５７が装着されている。
【００５３】
インシュレータ５７が装着された支持孔５５は、昇降支持フレーム７０に立設されている支持ピン７５が挿通する。これにより、ベースユニット８は、長手方向の一端側が、昇降支持フレーム７０に支持される。また、インシュレータ５７が装着された連結孔５６は、下部筐体４の背面側に形成された支持凸部２２が挿通する。これによりベースユニット８は、長手方向の他端側が、下部筐体４に支持される。
【００５４】
かかるベースユニット８は、昇降支持フレーム７０が昇降カム７１によって昇降されると、長手方向の他端側を支持する支持凸部２２を支点に、長手方向の一端側が上下方向に昇降される。したがって、ベースユニット８の光ピックアップ機構５０、及び長手方向の一端側に設けられたディスク回転機構５１は、ベースユニット８の昇降に応じて、光ピックアップ機構５０によって光ディスク６に対して情報信号の記録再生を行う記録再生位置と、光ディスクの搬送領域から退避させる待機位置とに亘って昇降する。
【００５５】
図８に示すように、光ピックアップ機構５０は、光源となる半導体レーザから出射された光ビームを対物レンズにより集光させて光ディスク６の信号記録面に照射し、この光ディスク６の信号記録面で反射された戻りの光ビームを受光素子等からなる光検出器により検出する光学ブロックが形成されたピックアップベース５０ａを有し、光ディスク６に対する信号の書き込み又は読み出しを行うようになされている。
【００５６】
また、この光ピックアップ機構５０は、対物レンズを光軸方向（フォーカシング方向）と、光ディスクの記録トラックと直交する方向（トラッキング方向）とに変位駆動する２軸アクチュエータ等の対物レンズ駆動機構を有し、光検出器により検出された光ディスク６からの検出信号に基づいて、この２軸アクチュエータにより対物レンズをフォーカシング方向及びトラッキング方向に変位させながら、光ディスク６の信号記録面上に対物レンズの焦点を合わせるフォーカスサーボや、対物レンズにより集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズにより集光された光ビームを光ディスク６の信号記録面に垂直に照射させるように、光ディスク６の信号記録面に対する対物レンズの傾き（スキュー）を調整可能とする３軸アクチュエータを用いてもよい。
【００５７】
かかる光ピックアップ機構５０は、ピックアップベース５０ａがピックアップ移動機構５３によって支持されることにより、光ディスク６の半径方向に移動可能とされている。
【００５８】
ピックアップ移動機構５３は、ピックアップベース５０ａを光ディスク６の半径方向にスライド可能に支持する一対のガイド軸６０，６１と、これら一対のガイド軸６０，６１に支持されたピックアップベース５０ａを光ディスク６の半径方向に変位駆動する変位駆動機構６２とを有している。
【００５９】
一対のガイド軸６０，６１は、一方がピックアップベース５０ａの一側縁に形成されたガイド孔に挿通されると共に、他方がピックアップベース５０ａの他側縁に形成されたガイド溝に挟持されることにより、ピックアップベース５０ａをスライド可能に支持している。また、一対のガイド軸６０，６１は、ベースユニット８の長手方向に沿って互いに平行となるように配置されており、ピックアップベース５０ａを光ディスク６の内外周に亘って案内する。
【００６０】
変位駆動機構６２は、ベースユニット８に取り付けられた駆動モータの回転駆動をギヤやラックを介して直線駆動に変換し、ピックアップベース５０ａを一対のガイド軸６０，６１に沿った方向、すなわち光ディスク６の半径方向に変位駆動させるものであり、例えばリードスクリューを備えたステッピングモータが用いられる。
【００６１】
ディスク回転機構５１は、光ディスク６が載置されるディスクテーブル６５と、光ディスク６をディスクテーブル６５と一体に回転駆動する扁平状のスピンドルモータ６６とを有する。
【００６２】
ディスクテーブル６５は、光ディスク６の中心孔６ａの周縁を支持する支持面部６５ａと、光ディスク６の中心孔６ａに係合される係合突部６５ｂとが形成されている。係合突部６５ｂは、先端面から支持面部６５ａ側に向かって拡径するテーパ面が形成され、光ディスク６のセンタリングを図りながら装着可能とされている。また、係合突部６５ｂは、後述するクランプ機構８０のチャッキングプレート８１と嵌合する嵌合孔６８が先端面に形成されている。この嵌合孔６８には、チャッキングプレート８１に突設されている嵌合ピン８９を引き込むガイド面６９が周囲に形成されている。ガイド面６９は、嵌合孔６８の先端より上方に向かって拡径するテーパ面、あるいは湾曲面として形成され、チャッキングプレート８１が近接することにより、嵌合ピン８９を嵌合孔６８内へ引き込み、チャッキングプレート８１をディスクテーブル６５に嵌合させる。これにより、チャッキングプレート８１は、ディスクチャッキング時におけるディスクテーブル６５に対するチャッキングプレート８１の位置決めが図られる。
【００６３】
スピンドルモータ６６は、ベースユニット８の一端側に取り付けられた取付基板上に実装され、スピンドル軸にディスクテーブル６５が取り付けられている。
【００６４】
かかるディスク回転機構５１は、光ディスク６が装置本体２の内外に搬送される際は、ベースユニット８が待機位置に下降されることにより、光ディスク６の搬送領域上から退避されている。そして、ディスク回転機構５１は、光ディスク６が装置本体２内に搬送され、ベースユニット８が記録再生位置に上昇されると、ディスクテーブル６５が、後述するチャッキングプレート８１とともに光ディスク６の中心孔６ａの周縁を挟持し、回転自在に保持する。その後、記録あるいは再生指示に応じてスピンドルモータ６６が回転駆動され、光ディスク６をＣＬＶあるいはＣＡＶ等の所定の回転速度で制御する。
【００６５】
＜４．昇降機構＞
次いで、ベースユニット８を記録再生位置と待機位置とに亘って昇降させる昇降機構９について説明する。昇降機構９は、ベースユニット８の一端側を支持する昇降支持フレーム７０と、駆動ギヤ１８と連結され、スライドに応じて昇降支持フレーム７０を昇降させる昇降カム７１とを有する。
【００６６】
昇降支持フレーム７０は、下部筐体４の両側壁４ａ，４ｂに沿ってベースユニット用デッキ２１に配設される一対の支持アーム部７２，７２と、一対の支持アーム部７２，７２の各先端を繋ぐとともに昇降カム７１と係合する連結アーム部７３とを有する。
【００６７】
支持アーム部７２は、先端部に、下部筐体４の両側壁４ａ，４ｂに形成された軸受凹部１５に係合される回動軸部７２ａが突設されている。これにより昇降支持フレーム７０は、回動軸部７２ａを支点に連結アーム部７３側が回動可能とされている。また、支持アーム部７２は、ベースユニット８の一端側コーナ部に形成された支持孔５５に挿通される支持ピン７５が突設されている。支持ピン７５は、支持孔５５にインシュレータ５７が装着された後、インシュレータ５７の中空部を挿通する。これにより昇降支持フレーム７０は、ベースユニット８の一端側を支持する。
【００６８】
連結アーム部７３は、昇降カム７１に形成されたカム溝に係合するカムピン７６が突設されている。したがって、昇降支持フレーム７０は、昇降カム７１の移動に応じてカムピン７６がカム溝を移動し、昇降操作される。
【００６９】
この昇降カム７１は、駆動ギヤ１８と咬合されることにより、支持デッキ１３上をディスクトレイ２３の搬送方向と直交する図４中矢印Ｙ方向及び反矢印Ｙ方向に亘ってスライドすることにより、昇降支持フレーム７０を昇降させるものである。これにより、昇降カム７１は、昇降支持フレーム７０に支持されたベースユニット８を記録再生位置と待機位置との間に亘って昇降させることができる。
【００７０】
昇降カム７１は、支持デッキ１３上を摺動する主面部と、主面部より支持デッキ１３の壁面に沿って下方に垂下された側面部とからなる。主面部は、略矩形板状に形成され、駆動ギヤ１８と咬合されるカムラックが形成されている。
【００７１】
カムラックは、駆動ギヤ１８に咬合されることにより、昇降カム７１をディスクトレイ２３の搬送方向となる図４中矢印Ｘ方向と直交する同図中矢印Ｙ方向へスライドさせるものである。カムラックは、昇降支持フレーム７０を介してベースユニット８を記録再生位置と待機位置との間を昇降させている間及び光ディスク６に対して情報信号の記録再生を行っている間は駆動ギヤ１８との咬合が維持され、ベースユニット８を待機に下降させた後、ディスクトレイ２３が搬送されると駆動ギヤ１８との咬合が解除されるように形成されている。
【００７２】
また、昇降カム７１は、側面部に昇降支持フレーム７０に突設されているカムピン７６が挿通されるカム溝が形成されている。カム溝は、昇降支持フレーム７０を昇降操作することによりベースユニット８を記録再生位置と待機位置に亘って昇降させるものであり、上下方向に亘る傾斜面と、傾斜面の端部から連続する上側及び下側水平面とからなる。
【００７３】
かかる昇降カム７１は、左側壁４ａ側と右側壁４ｂとの間をスライドすることにより、カム溝に係合しているカムピン７６を傾斜面を介して下側水平面と上側水平面との間で昇降させる。これにより、昇降支持フレーム７０は、ベースユニット８の一端側を記録再生位置と待機位置との間で昇降させることができる。なお、このとき、ベースユニット８は、他端側が、下部筐体４に突設されている支持凸部２２によって回動を支持されている。
【００７４】
＜５．クランプ機構＞
次いで、ディスクテーブル６５とともに光ディスク６を回転自在にクランプするクランプ機構８０について説明する。クランプ機構８０は、図９及び図１０に示すように、上部カバー５の収納部２５内に収納され、ディスクテーブル６５とともに光ディスク６を回転自在にクランプするチャッキングプレート８１と、上部カバー５に装着され、チャッキングプレート８１を収納部２５内に支持する支持プレート８２とを有する。
【００７５】
そして、クランプ機構８０は、チャッキングプレート８１が収納部２５内に収納されることにより、収納部２５に形成された開口部２６に挿通され、記録再生位置に上昇されたディスクテーブル６５と磁気吸着される。これにより、クランプ機構８０は、光ディスク６をディスクテーブル６５とともに回転自在にクランプする。
【００７６】
チャッキングプレート８１は、図１１（ａ）及び図１１（ｂ）に示すように、略円盤状に形成されたクランプ板８３と、クランプ板８３内に保持された円形のマグネット８４と、マグネット８４をクランプ板８３内に支持する支持板８５とを有する。
【００７７】
クランプ板８３は、ポリアセタール（ＰＯＭ）等のエンジニアリングプラスチックを用いて成型されている。そして、クランプ板８３は、収納部２５に形成された開口部２６より下部筐体４側に突出する円形の凸面部８７と、凸面部８７の外周に形成され、収納部２５の支持面２７に支持されるフランジ部８８と、凸面部８７の中央に立設され、ディスクテーブル６５の嵌合孔６８内に嵌合される嵌合ピン８９と、嵌合ピン８９と反対側に突出され、支持プレート８２の規制部９３に係合するセンタリングピン９０と、支持板８５を係止する係止爪９１とが形成されている。
【００７８】
図１０に示すように、凸面部８７は、円形に形成され、開口部２６より下部筐体４側に突出ことにより、ディスクテーブル６５とともに光ディスク６の中心孔６ａの周縁を挟持する。また、凸面部８７は、支持板８５との間にディスクテーブル６５に設けられた鉄板と磁気吸引するマグネット８４が収納されている。
【００７９】
フランジ部８８は、凸面部８７の外周に形成され、収納部２５の支持面２７に支持されることにより、チャッキングプレート８１の開口部２６からの抜け止めを図る。また、フランジ部８８は、チャッキングプレート８１が収納部２５内において揺動した際に、収納部２５のガイド壁２８に当接する。これにより、チャッキングプレート８１は、収納部２５内における揺動範囲が規制される。
【００８０】
凸面部８７の中央に一体成型された嵌合ピン８９は、ディスクテーブル６５の嵌合孔６８に嵌合することにより、チャッキングプレート８１のディスクテーブル６５に対する位置決めを行うものである。嵌合ピン８９は、ディスクテーブル６５が記録再生位置に上昇されると、嵌合孔６８の周囲に形成されたガイド面６９にガイドされて嵌合孔６８内に引き込まれる。これにより、チャッキングプレート８１は、ディスクチャッキング時におけるディスクテーブル６５に対する位置決めが図られる。
【００８１】
クランプ板８３の、嵌合ピン８９と反対側となる凸面部８７の上面側に突設されたセンタリングピン９０は、支持プレート８２に設けられた規制部９３に係合することにより、チャッキングプレート８１の揺動範囲を、嵌合ピン８９と嵌合孔６８又はガイド面６９とが対峙する範囲に規制するものである。センタリングピン９０は、凸面部８７の上面側に向かって一体成型され、支持板８５の突出孔８５ｂより上方に突出されている。
【００８２】
支持板８５は、凸面部８７の上面側に取り付けられることによりマグネット８４を支持するものであり、図１１（ａ）に示すように、凸面部８７の上面より突設された係止爪９１が挿通する挿通孔８５ａが形成されている。そして、支持板８５は、挿通孔８５ａを挿通した係止爪９１に係止されることにより、凸面部８７の上面に取り付けられる。また、支持板８５は、クランプ板８３に突設されているセンタリングピン９０を支持プレート８２側へ臨ませる突出孔８５ｂが形成されている。
【００８３】
かかるチャッキングプレート８１を収納部２５内に支持する支持プレート８２は、図１２（ａ）及び図１２（ｂ）に示すように、円盤状に形成され、外周面部に、上部カバー５に形成されたプレート係止部２９に係止される係止凸条９２が形成され、下部筐体４側に向けられる下面部に、チャッキングプレート８１の揺動範囲を規制する規制部９３が形成されている。
【００８４】
係止凸条９２は、支持プレート８２の外周面の内側に、断続的に形成されている。そして、支持プレート８２は、係止凸条９２が形成されていない箇所をプレート係止部２９に合わせてから収納部２５上に載置し、一方向へ回転させることにより係止凸条９２をプレート係止部２９の下部に回り込ませる。なお、プレート係止部２９には、一方向の端部に係止凸条９２の回転方向の先端部が当接する回転止めが形成されている。係止凸条９２が回転止めに当接するまで回転されることにより、支持プレート８２は、収納部２５に係止される。
【００８５】
規制部９３は、支持プレート８２の略中央に形成され、支持プレート８２が収納部２５に係止されることにより、チャッキングプレート８１のセンタリングピン９０とほぼ対向される。規制部９３は、中央に設けられた円形の平面部９４と、平面部９４の周囲に立ち上がり形成されたセンタリング壁９５とを有する。
【００８６】
センタリング壁９５は、先端側に向かって拡径するテーパ面、あるいは湾曲面として形成され、センタリングピン９０が当接されることにより、チャッキングプレート８１を平面部９４側にガイドするものである。
【００８７】
かかる規制部９３は、ディスクテーブル６５が待機位置へ下降され、チャッキングプレート８１がディスクテーブル６５と嵌合することなく揺動自在とされている状態において、チャッキングプレート８１が支持プレート８２側に揺動すると、センタリングピン９０がセンタリング壁９５に当接される。そして、図１３に示すように、規制部９３は、センタリング壁９５によってセンタリングピン９０を平面部９４側へガイドすることにより、チャッキングプレート８１のセンタリングを図る。したがって、チャッキングプレート８１は、常に、嵌合ピン８９がディスクテーブル６５の嵌合孔６８又はガイド面６９と対向される。これにより、チャッキングプレート８１は、ディスクテーブル６５が記録再生位置まで上昇されたときには、必ず嵌合ピン８９がガイド面６９にガイドされて嵌合孔６８に嵌合可能とされている。
【００８８】
［各部の寸法］
ここで、嵌合ピン８９は、突出高さを高くすると、開口部２６より光ディスク６の搬送領域上に垂下してしまうため、光ディスク６との干渉を避けるために高く形成することはできない。したがって、ガイド面６９の高さも、嵌合ピン８９と嵌合孔６８との嵌合深さを確保すると、高く形成することができない。このガイド面６９の高さが十分に確保できない状態で、ガイド面６９の角度を浅くすると、ガイド幅は広がるが、嵌合ピン８９の引き込み力が弱くなることから、ある程度の引き込み力を確保するために角度を深くする必要があり、その結果、ガイド面６９の幅を広く確保することができない。このため、チャッキングプレート８１の揺動範囲が広い状態では、嵌合ピン８９がガイド面６９に対峙せず、嵌合ピン８９が嵌合孔６８に挿入しないチャッキングミスが起こるおそれがある。
【００８９】
そこで、ディスクドライブ装置１では、クランプ機構８０、及びクランプ機構８０を収納する収納部２５の各寸法を以下の通り規定している。
【００９０】
図９に示すように、チャッキングプレート８１が嵌合ピン８９と嵌合孔６８とが対峙する位置にある状態で、収納部２５の支持面２７は、チャッキングプレート８１のフランジ部８８の端面からガイド壁２８までの余剰距離（Ｂ）が、チャッキングプレート８１の嵌合ピン８９がガイド面６９と対峙可能な揺動範囲（Ａ）よりも短い。
【００９１】
したがって、チャッキングプレート８１は、フランジ部８８が支持面２７に支持されている状態で、図９中左右方向へ揺動した場合にも、嵌合ピン８９がガイド面６９と対峙可能とされている。このため、チャッキングプレート８１は、ディスクテーブル６５が記録再生位置に上昇すると、確実に嵌合ピン８９がガイド面６９にガイドされて、嵌合孔６８に嵌合される。
【００９２】
また、図１０に示すように、収納部２５のガイド壁２８は、チャッキングプレート８１が記録再生位置に上昇されたディスクテーブル６５と嵌合した状態で、チャッキングプレート８１のフランジ部８８の端面から、少なくともベースユニット８が記録再生位置に上昇されチャッキングプレート８１がディスクテーブル６５と嵌合したときに、フランジ部８８の外周が位置する想定可動距離（Ｃ）以上の距離（Ｃ’）を隔てている。
【００９３】
上述したように、ベースユニット８は、長手方向の他端側が下部筐体４に突設された支持凸部２２にインシュレータ５７を介して支持され、長手方向の一端側が昇降支持フレーム７０に支持され、この昇降支持フレーム７０が昇降カム７１のスライドに応じて昇降されることにより、待機位置から記録再生位置に上昇される。すなわち、ベースユニット８は、インシュレータ５７を介して支持凸部２２に支持された他端側を支点に一端側が回動することにより昇降されるものであり、ディスクテーブル６５は、回動軌跡を描く。また、光ディスク６が回転されると、チャッキングプレート８１も揺動する。加えて、各構成部材の誤差や組立誤差も見越しておく必要もある。
【００９４】
このため、ディスクテーブル６５は、記録再生位置に上昇されたときに、設計上の嵌合位置よりも図１０中左右方向にずれることがある。したがって、ガイド壁２８は、チャッキングプレート８１が記録再生位置に上昇されたディスクテーブル６５と嵌合したときに、フランジ部８８の外周が位置し得る想定可動距離（Ｃ）以上の距離（Ｃ’）を隔てて形成される。これにより、光ディスク６とともにチャッキングプレート８１が回転されたときにも、フランジ部８８の外周がガイド壁２８に摺接することが防止される。
【００９５】
また、ガイド壁２８は、ディスクテーブル６５と嵌合したチャッキングプレート８１のフランジ部８８が支持面２７に当接しない高さ（Ｄ）を備え、当該高さ（Ｄ）より低い高さでは、フランジ部８８が当接されることによりチャッキングプレート８１の揺動範囲を嵌合ピン８９が嵌合孔６８又はガイド面６９に対峙する範囲に規制している。
【００９６】
すなわち、ガイド壁２８は、記録再生位置に上昇されたディスクテーブル６５に嵌合するチャッキングプレート８１のフランジ部８８の高さでは、光ディスク６の回転に伴いチャッキングプレート８１が揺動した場合でも、フランジ部８８が支持面２７に当接しない高さ（Ｄ）が必要となる。
【００９７】
一方で、当該高さ（Ｄ）より低い高さでは、ディスクテーブル６５と嵌合していないチャッキングプレート８１の揺動範囲を嵌合ピン８９が少なくともガイド面６９に対峙する範囲に規制する必要がある。このため、ガイド壁２８は、当該高さ（Ｄ）においてはフランジ部８８と所定の距離（Ｃ）以上の距離（Ｃ’）を隔てる一方で、当該高さ（Ｄ）より低い位置では、フランジ部８８が当接可能とされ、これにより、チャッキングプレート８１の揺動範囲を規制している。
【００９８】
また、規制部９３は、平面部９４が、チャッキングプレート８１が嵌合ピン８９と嵌合孔６８とが対峙した位置にある状態で、チャッキングプレート８１のセンタリングピン９０の先端外周からセンタリング壁９５の基端まで、上記余剰距離（Ｂ）以下の余剰距離（Ｅ）を有し、センタリング壁９５が、ディスクテーブル６５と嵌合したチャッキングプレート８１のセンタリングピン９０から最大でも上記距離（Ｃ）より短い距離（Ｃ’’）だけ離間している。
【００９９】
かかる構成を備えることにより、チャッキングプレート８１は、ディスクテーブル６５に嵌合されていない状態で記録再生位置よりも上方に揺動した場合、センタリングピン９０がセンタリング壁９５に当接し、平面部９４側にガイドされる。平面部９４は、チャッキングプレート８１が嵌合ピン８９と嵌合孔６８とが対峙する位置にある状態で、センタリングピン９０の先端外周からセンタリング壁９５までの余剰距離（Ｅ）が上記余剰距離（Ｂ）よりも短い。したがって、センタリングピン９０が平面部９４までガイドされたとき、チャッキングプレート８１は、嵌合ピン８９がガイド面６９又は嵌合孔６８と対峙する位置までガイドされている。このため、チャッキングプレート８１は、ディスクテーブル６５が記録再生位置に上昇すると、確実に嵌合ピン８９がガイド面６９にガイドされて、嵌合孔６８に嵌合される。
【０１００】
なお、規制部９３は、平面部９４が、ディスクテーブル６５と嵌合したチャッキングプレート８１のセンタリングピン９０と当接しない十分な距離（Ｆ）を隔てて形成されている。すなわち、平面部９４は、記録再生位置に上昇されたディスクテーブル６５に嵌合するチャッキングプレート８１のセンタリングピン９０との間では、光ディスク６の回転に伴いチャッキングプレート８１が揺動した場合でも、センタリングピン９０が平面部９４に当接しない高さ（Ｆ）が確保されている。
【０１０１】
このように、クランプ機構８０は、チャッキングプレート８１が収納部２５内の何れの位置に揺動した場合にも、嵌合ピン８９が嵌合孔６８又はガイド面６９と対峙する位置にガイドされる。したがって、チャッキングプレート８１は、ディスクテーブル６５と確実に嵌合される。これにより、チャッキングプレート８１は、ディスクテーブル６５と磁気吸着させるマグネットを磁力の比較的に弱いものを用いた場合にも、ディスクテーブル６５へのチャッキングミスを防止することができる。
【０１０２】
［他の実施の形態］
また、ディスクドライブ装置１は、支持プレート８２に規制部９３を設ける以外にも、図１４及び図１５に示すように、上部カバー５の収納部９７に規制部９６を形成してもよい。なお、以下の説明において、上述したディスクドライブ装置１と同一の構成については、同一の符号を付してその詳細を省略する。
【０１０３】
本実施の形態における収納部９７は、上記収納部２５と同様に、チャッキングプレート８１の凸面部８７を下部筐体４側に臨ませる開口部２６と、開口部２６の周囲に設けられチャッキングプレート８１のフランジ部８８を支持する支持面２７と、支持面２７の外縁部から立ち上がり上方に向かって拡径するガイド壁２８とを備える。さらに、収納部９７は、ガイド壁２８の上端より、センタリング壁９８及び平面部９９とからなる規制部９６が一体に延設されている。
【０１０４】
支持面２７及びガイド壁２８は、上述したとおりの寸法を備えている。また、図１５に示すように、ガイド壁２８は、ディスクテーブル６５に嵌合したチャッキングプレート８１のフランジ部８８が、支持面２７と摺接することのない十分な高さ（Ｄ）を備え、当該高さよりフランジ部８８の厚さ程度の垂直壁を介して、センタリング壁９８が延設されている。
【０１０５】
センタリング壁９８は、上述した規制部９３のセンタリング壁９５に相当するものである。センタリング壁９８は、センタリング壁９５と同様に、ディスクテーブル６５と嵌合したチャッキングプレート８１のフランジ部８８の外周から最大でも、上記距離（Ｃ）以下の距離（Ｃ’’）だけ離間し、上方に向かって縮径されていく。
【０１０６】
また、センタリング壁９８は、記録再生位置に上昇されたディスクテーブル６５に嵌合するチャッキングプレート８１のフランジ部８８と、平面部９９との間に、チャッキングプレート８１が揺動しても当接しない十分な高さ（Ｆ）を有する。
【０１０７】
平面部９９は、チャッキングプレート８１が嵌合ピン８９と嵌合孔６８とが対峙した位置にある状態で、チャッキングプレート８１のフランジ部８８の外周からセンタリング壁９５の基端まで、上記余剰距離（Ｂ）以下の余剰距離（Ｅ）を有する。
【０１０８】
かかる構成を備えることにより、チャッキングプレート８１は、ディスクテーブル６５に嵌合されていない状態で記録再生位置よりも上方に揺動した場合、フランジ部８８がセンタリング壁９８に当接し、平面部９９へガイドされる。平面部９９は、チャッキングプレート８１が嵌合ピン８９と嵌合孔６８とが対峙する位置にある状態で、フランジ部８８の外周からセンタリング壁９８までの余剰距離（Ｅ）が上記余剰距離（Ｂ）よりも短い。したがって、フランジ部８８が平面部９９までガイドされたとき、チャッキングプレート８１は、嵌合ピン８９がガイド面６９又は嵌合孔６８と対峙する位置までガイドされている。このため、チャッキングプレート８１は、ディスクテーブル６５が記録再生位置に上昇すると、確実に嵌合ピン８９がガイド面６９にガイドされて、嵌合孔６８に嵌合される。
【０１０９】
なお、本実施の形態においても、チャッキングプレート８１は、ディスクテーブル６５に嵌合されていない状態で、記録再生位置よりも下方に揺動した場合は、上述したとおり、ガイド壁２８及び支持面２７によって、嵌合ピン８９がガイド面６９又は嵌合孔６８と対峙する位置までガイドされる。
【０１１０】
なお、本実施の形態では、チャッキングプレート８１は、センタリングピン９０を形成しなくともよい。
【符号の説明】
【０１１１】
１  ディスクドライブ装置、２  装置本体、４  下部筐体、５  上部カバー、６  光ディスク、７  搬送機構、８  ベースユニット、９  昇降機構、２２  支持凸部、２３  ディスクトレイ、２４  係合凸部、２５  収納部、２６  開口部、２７  支持面、２８  ガイド壁、３０  係止片、３２  当接凸部、３５  固定部、３６  係止凸部、３７  フック、４０  緩衝機構、４１  凹面部、４５  切欠き部、５０  光ピックアップ機構、５１  ディスク回転機構、５５  支持孔、５６  連結孔、５７  インシュレータ、６５  ディスクテーブル、６６  スピンドルモータ、６８  嵌合孔、６９  ガイド面、７０  昇降支持フレーム、７１  昇降カム、８０  クランプ機構、８１  チャッキングプレート、８２  支持プレート、８３  クランプ板、８４  マグネット、８５  支持板、８７  凸面部、８８  フランジ部、８９  嵌合ピン、９０  センタリングピン、９３  規制部、９４  平面部、９５  センタリング壁、９６  規制部、９７  収納部、９８  センタリング壁、９９  平面部
【図１】
0005573088.tif 000002
【図２】
0005573088.tif 000003
【図３】
0005573088.tif 000004
【図４】
0005573088.tif 000005
【図５】
0005573088.tif 000006
【図６】
0005573088.tif 000007
【図７】
0005573088.tif 000008
【図８】
0005573088.tif 000009
【図９】
0005573088.tif 000010
【図１０】
0005573088.tif 000011
【図１１】
0005573088.tif 000012
【図１２】
0005573088.tif 000013
【図１３】
0005573088.tif 000014
【図１４】
0005573088.tif 000015
【図１５】
0005573088.tif 000016
【図１６】
0005573088.tif 000017
【図１７】
0005573088.tif 000018